(57)【要約】【課題】本発明は砂漠改造に基づいた自動植樹機を開示した。【解決手段】シャーシーを含み、前記シャーシーの頂面にはボディーが固定的に設置され、前記ボディーの左側面には延伸ブロックが固定的に設置され、前記延伸ブロックの左側には穴掘り箱が固定的に設置され、前記穴掘り箱の中には駆動空間が設置され、前記駆動空間の底壁には開口空間が設置され、前記駆動空間の中には穴掘り装置が設置され、前記穴掘り装置は前記駆動空間の中にスライドできるように取り付けた作動箱を含み、前記作動箱の底面には中空軸が回転できるように連結され、前記中空軸の中には軸空間が設置され、前記中空軸の外周には上から下まで短歯車と掘り器がそれぞれ固定的に設置される。【選択図】図１
2020202819.tif 000002
【特許請求の範囲】
【請求項１】
シャーシーを含み、前記シャーシーの頂面にはボディーが固定的に設置され、前記ボディーの左側面には延伸ブロックが固定的に設置され、前記延伸ブロックの左側には穴掘り箱が固定的に設置され、前記穴掘り箱の中には駆動空間が設置され、前記駆動空間の底壁には開口空間が設置され、前記駆動空間の中には穴掘り装置が設置され、
前記穴掘り装置は前記駆動空間の中にスライドできるように取り付けた作動箱を含み、前記作動箱の底面には中空軸が回転できるように連結され、前記中空軸の中には軸空間が設置され、前記中空軸の外周には上から下まで短歯車と掘り器がそれぞれ固定的に設置され、前記軸空間の左右端壁には触発ブロックスライド空間が対称に設置され、前記触発ブロックスライド空間の中には触発ブロックがそれぞれスライドできるように連結され、前記触発ブロックと前記触発ブロックスライド空間との間には触発ブロックばねが連結され、二つの前記触発ブロックの片側には前記中空軸にスライドできるように連結された円環が固定的に設置され、前記触発ブロックスライド空間の底側壁には紐空間がそれぞれ設置され、前記紐空間の底壁には回転空間が設置され、二つの前記回転空間には斜め板がそれぞれヒンジにより連結され、前記斜め板と前記斜め板に対応した前記触発ブロックとの間には紐が連結され、二つの前記回転空間の中には止めブロックが対称にスライドできるように連結され、前記止めブロックと前記回転空間との間には連結ばねが連結され、前記軸空間の左右側壁には位置制限ブロックが対称に固定的に設置され、
前記駆動空間の中にはまた穴掘り装置を駆動できる駆動装置が設置され、前記ボディーと前記延伸ブロックとの中には伝動空間が設置され、前記伝動空間の中には苗木を運輸できる運輸装置が設置され、前記伝動空間の上側には水箱が設置され、前記水箱の中には潅水できる噴水装置が設置されていることを特徴とする砂漠改造に基づいた自動植樹機。
【請求項２】
前記駆動装置は、動力モーターと、モーター軸と、長歯車と、第一傘歯車と、親ねじと、第二傘歯車と、ねじ山ブロックと、固定ブロックと、ヒンジ連結ブロックにより構成され、前記駆動空間の底壁に固定的に取り付けられた前記動力モーターを含み、前記動力モーターの中には前記モーター軸が連結され、前記モーター軸には前記短歯車と噛み合った前記長歯車が固定的に設置され、前記モーター軸の頂側には前記第一傘歯車が固定的に設置され、前記駆動空間の右側壁には前記親ねじが回転できるように連結され、前記親ねじの左側には前記第二傘歯車が固定的に設置され、前記親ねじには前記ねじ山ブロックがねじ山により連結され、前記作動箱の頂面には前記固定ブロックが固定的に設置され、前記固定ブロックには前記ヒンジ連結ブロックがヒンジにより連結され、前記ヒンジ連結ブロックの片側と前記ねじ山ブロックの底側とがヒンジにより連結されていることを特徴とする請求項１に記載の砂漠改造に基づいた自動植樹機。
【請求項３】
前記運輸装置は、伝送軸と、伝送プーリーと、伝送ベルトと、伝送モーターと、主動歯車と、抜き穴と、ベルト軸と、運輸プーリーと、運輸ベルトと、従動歯車から構成され、前記伝動空間の前側壁に左右対称に回転できるように取り付けられた前記伝送軸を含み、前記伝送軸には前記伝送プーリーが固定的に設置され、二つの前記伝送プーリーの間には前記伝送ベルトが連結され、右側の前記伝送軸の後側には前記伝動空間の後側壁と固定的に連結された前記伝送モーターが連結され、左側の前記伝送軸の後側には前記主動歯車が固定的に設置され、前記作動箱の中には運輸空間が設置され、前記運輸空間の底壁には前記軸空間に連通している前記抜き穴が設置され、前記運輸空間の前後側壁には前記ベルト軸が左右対称に回転できるように連結され、前記ベルト軸には前記運輸プーリーがそれぞれ固定的に設置され、前記運輸プーリーの間には前記運輸ベルトが連結され、右側の前記ベルト軸の後側には、前記主動歯車と噛み合うことができる前記従動歯車が固定的に設置されていることを特徴とする請求項１に記載の砂漠改造に基づいた自動植樹機。
【請求項４】
前記噴水装置は、水ポンプと、加水空間から構成され、前記水箱の底壁に固定された前記水ポンプを含み、前記水ポンプの底面と前記伝動空間とが連通しており、前記水箱の頂壁には前記加水空間が設置されていることを特徴とする請求項１に記載の砂漠改造に基づいた自動植樹機。
【請求項５】
前記シャーシーの底壁には下方に開口したシャーシー空間が設置され、前記シャーシー空間の中には無限軌道が設置されていることを特徴とする請求項１に記載の砂漠改造に基づいた自動植樹機。
【請求項６】
前記開口空間の前後側壁には前記円環と当接できる仕切り板が固定的に設置され、前記仕切板が前記円環と前記触発ブロックとを上に移動させることができることを特徴とする請求項１に記載の砂漠改造に基づいた自動植樹機。
【請求項７】
前記短歯車と前記長歯車とが終始噛み合っていることを特徴とする請求項２に記載の砂漠改造に基づいた自動植樹機。
【請求項８】
前記第二傘歯車の直径が前記第一傘歯車の直径より大きいことを特徴とする請求項２に記載の砂漠改造に基づいた自動植樹機。
【発明の詳細な説明】
【技術分野】
【０００１】
本発明は環境改造分野を取り上げて、具体的には砂漠改造に基づいた自動植樹機である。
【背景技術】
【０００２】
人間の活動と伴い、環境がひどく破壊され、多くのところの土地がだんだん砂漠化になり、それにより一部分の人と動物が家を失い、従って、人間はだんだんと砂漠で植物を植え始め、すでに砂漠化した土地に生命力を与えたが、砂漠で植物を植えることは非常に困難であり、単に一つの木を植えることではなく、毎回大きな面積の木を植える必要があり、現在、人力で植樹することは一般的であるが、熱い砂漠の高温と強い紫外線が植樹する人々に苦痛をもたらし、また手動で植樹するには、穴掘りと、植樹と、水やりなどの作業が必要となり、時間と労力がかかる。
【先行技術文献】
【特許文献】
【０００３】
【特許文献１】中国特許出願公開第109197492号明細書
【発明の概要】
【発明が解決しようとする課題】
【０００４】
本発明の目的は砂漠改造に基づいた自動植樹機を提供し、それは上記の現在の技術中の問題を解決できる。
【課題を解決するための手段】
【０００５】
本発明は以下の技術プランを通じて実現する：砂漠改造に基づいた自動植樹機は、シャーシーを含み、前記シャーシーの頂面にはボディーが固定的に設置され、前記ボディーの左側面には延伸ブロックが固定的に設置され、前記延伸ブロックの左側には穴掘り箱が固定的に設置され、前記穴掘り箱の中には駆動空間が設置され、前記駆動空間の底壁には開口空間が設置され、前記駆動空間の中には穴掘り装置が設置され、
前記穴掘り装置は前記駆動空間の中にスライドできるように取り付けた作動箱を含み、前記作動箱の底面には中空軸が回転できるように連結され、前記中空軸の中には軸空間が設置され、前記中空軸の外周には上から下まで短歯車と掘り器がそれぞれ固定的に設置され、前記軸空間の左右端壁には触発ブロックスライド空間が対称に設置され、前記触発ブロックスライド空間の中には触発ブロックがそれぞれスライドできるように連結され、前記触発ブロックと前記触発ブロックスライド空間との間には触発ブロックばねが連結され、二つの前記触発ブロックの片側には前記中空軸にスライドできるように連結された円環が固定的に設置され、前記触発ブロックスライド空間の底側壁には紐空間がそれぞれ設置され、前記紐空間の底壁には回転空間が設置され、二つの前記回転空間には斜め板がそれぞれヒンジにより連結され、前記斜め板と前記斜め板に対応した前記触発ブロックとの間には紐が連結され、二つの前記回転空間の中には止めブロックが対称にスライドできるように連結され、前記止めブロックと前記回転空間との間には連結ばねが連結され、前記軸空間の左右側壁には位置制限ブロックが対称に固定的に設置され、
前記駆動空間の中にはまた穴掘り装置を駆動できる駆動装置が設置され、前記ボディーと前記延伸ブロックとの中には伝動空間が設置され、前記伝動空間の中には苗木を運輸できる運輸装置が設置され、前記伝動空間の上側には水箱が設置され、前記水箱の中には潅水できる噴水装置が設置されている。
【０００６】
前記駆動装置は、動力モーターと、モーター軸と、長歯車と、第一傘歯車と、親ねじと、第二傘歯車と、ねじ山ブロックと、固定ブロックと、ヒンジ連結ブロックにより構成され、前記駆動空間の底壁に固定的に取り付けられた前記動力モーターを含み、前記動力モーターの中には前記モーター軸が連結され、前記モーター軸には前記短歯車と噛み合った前記長歯車が固定的に設置され、前記モーター軸の頂側には前記第一傘歯車が固定的に設置され、前記駆動空間の右側壁には前記親ねじが回転できるように連結され、前記親ねじの左側には前記第二傘歯車が固定的に設置され、前記親ねじには前記ねじ山ブロックがねじ山により連結され、前記作動箱の頂面には前記固定ブロックが固定的に設置され、前記固定ブロックには前記ヒンジ連結ブロックがヒンジにより連結され、前記ヒンジ連結ブロックの片側と前記ねじ山ブロックの底側とがヒンジにより連結されている。
【０００７】
前記運輸装置は、伝送軸と、伝送プーリーと、伝送ベルトと、伝送モーターと、主動歯車と、抜き穴と、ベルト軸と、運輸プーリーと、運輸ベルトと、従動歯車から構成され、前記伝動空間の前側壁に左右対称に回転できるように取り付けられた前記伝送軸を含み、前記伝送軸には前記伝送プーリーが固定的に設置され、二つの前記伝送プーリーの間には前記伝送ベルトが連結され、右側の前記伝送軸の後側には前記伝動空間の後側壁と固定的に連結された前記伝送モーターが連結され、左側の前記伝送軸の後側には前記主動歯車が固定的に設置され、前記作動箱の中には運輸空間が設置され、前記運輸空間の底壁には前記軸空間に連通している前記抜き穴が設置され、前記運輸空間の前後側壁には前記ベルト軸が左右対称に回転できるように連結され、前記ベルト軸には前記運輸プーリーがそれぞれ固定的に設置され、前記運輸プーリーの間には前記運輸ベルトが連結され、右側の前記ベルト軸の後側には、前記主動歯車と噛み合うことができる前記従動歯車が固定的に設置されている。
【０００８】
前記噴水装置は、水ポンプと、加水空間から構成され、前記水箱の底壁に固定された前記水ポンプを含み、前記水ポンプの底面と前記伝動空間とが連通しており、前記水箱の頂壁には前記加水空間が設置されている。
【０００９】
前記シャーシーの底壁には下方に開口したシャーシー空間が設置され、前記シャーシー空間の中には無限軌道が設置されている。
【００１０】
前記開口空間の前後側壁には前記円環と当接できる仕切り板が固定的に設置され、前記仕切板が前記円環と前記触発ブロックとを上に移動させることができる。
【００１１】
前記掘り器が螺旋巻きの方式で前記中空軸の周囲に固定的に取り付けられている。
【００１２】
前記短歯車と前記長歯車とが終始噛み合っている。
【００１３】
前記第二傘歯車の直径が前記第一傘歯車の直径より大きい。
【発明の効果】
【００１４】
以上により、本願発明の有益な効果は：本願発明装置は砂漠で自動的に穴掘りと、植樹と、水やりなどの機能を完成でき、装置を通して自動的に植樹することは、植樹の効率を早めるだけではなく、熱い砂漠で自動的に植樹でき、人力手動で植樹する必要がなく、熱い天気による人々の熱中症や日焼けを効果的に防止できる。
同時に、本願発明装置は無限軌道を通して移動し、砂漠で順調に移動でき、同時に、穴あけ器が穴を開けるとき一部分の砂を取り出すことができ、植樹に便利である。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の砂漠改造に基づいた自動植樹機の全体全断面の正面構造概略図
【図２】図２は本願発明の図１のＡの局部拡大図
【図３】図３は本願発明の図１のＢの局部拡大図
【図４】図４は本願発明の図２の触発ブロックと円環の取り付け上面図
【発明を実施するための形態】
【００１７】
図１〜４を参考し、本願発明の実施例の砂漠改造に基づいた自動植樹機は、シャーシー２１を含み、前記シャーシー２１の頂面にはボディー２９が固定的に設置され、前記ボディー２９の左側面には延伸ブロック３１が固定的に設置され、前記延伸ブロック３１の左側には穴掘り箱４２が固定的に設置され、前記穴掘り箱４２の中には駆動空間４１が設置され、前記駆動空間４１の底壁には開口空間４９が設置され、前記駆動空間４１の中には穴掘り装置１０１が設置され、前記穴掘り装置１０１は前記駆動空間４１の中にスライドできるように取り付けた作動箱３４を含み、前記作動箱３４の底面には中空軸４７が回転できるように連結され、前記中空軸４７の中には軸空間５０が設置され、前記中空軸４７の外周には上から下まで短歯車４６と掘り器５１がそれぞれ固定的に設置され、前記軸空間５０の左右端壁には触発ブロックスライド空間５８が対称に設置され、前記触発ブロックスライド空間５８の中には触発ブロック５７がそれぞれスライドできるように連結され、前記触発ブロック５７と前記触発ブロックスライド空間５８との間には触発ブロックばね５９が連結され、二つの前記触発ブロック５７の片側には前記中空軸４７にスライドできるように連結された円環５６が固定的に設置され、前記触発ブロックスライド空間５８の底側壁には紐空間５４がそれぞれ設置され、前記紐空間５４の底壁には回転空間６２が設置され、二つの前記回転空間６２には斜め板６０がそれぞれヒンジにより連結され、前記斜め板６０と前記斜め板６０に対応した前記触発ブロック５７との間には紐５５が連結され、二つの前記回転空間６２の中には止めブロック６３が対称にスライドできるように連結され、前記止めブロック６３と前記回転空間６２との間には連結ばね６４が連結され、前記軸空間５０の左右側壁には位置制限ブロック６１が対称に固定的に設置され、前記駆動空間４１の中にはまた穴掘り装置１０１を駆動できる駆動装置１０２が設置され、前記ボディー２９と前記延伸ブロック３１との中には伝動空間５３が設置され、前記伝動空間５３の中には苗木を運輸できる運輸装置１０３が設置され、前記伝動空間５３の上側には水箱２８が設置され、前記水箱２８の中には潅水できる噴水装置１０４が設置されている。
【００１８】
また、一つの実施例では、前記駆動装置１０２は前記駆動空間４１の底壁に固定的に取り付けられた動力モーター４８を含み、前記動力モーター４８の中にはモーター軸４４が連結され、前記モーター軸４４には前記短歯車４６と噛み合った長歯車４５が固定的に設置され、前記モーター軸４４の頂側には第一傘歯車４０が固定的に設置され、前記駆動空間４１の右側壁には親ねじ３７が回転できるように連結され、前記親ねじ３７の左側には第二傘歯車３９が固定的に設置され、前記親ねじ３７にはねじ山ブロック３８がねじ山により連結され、前記作動箱３４の頂面には固定ブロック３５が固定的に設置され、前記固定ブロック３５にはヒンジ連結ブロック３６がヒンジにより連結され、前記ヒンジ連結ブロック３６の片側と前記ねじ山ブロック３８の底側とがヒンジにより連結され、前記動力モーター４８を始動でき、それにより前記モーター軸４４を回転させ、それにより前記第一傘歯車４０と、前記第二傘歯車３９と、前記親ねじ３７を回転させ、それにより前記ねじ山ブロック３８を駆動し右に移動させ、それにより前記ヒンジ連結ブロック３６を通して前記作動箱３４を駆動し下に移動させ、その作用は、穴掘り装置１０１の回転と昇降を駆動することである。
【００１９】
また、一つの実施例では、前記運輸装置１０３は前記伝動空間５３の前側壁に左右対称に回転できるように取り付けられた伝送軸２０を含み、前記伝送軸２０には伝送プーリー２４が固定的に設置され、二つの前記伝送プーリー２４の間には伝送ベルト２６が連結され、右側の前記伝送軸２０の後側には前記伝動空間５３の後側壁と固定的に連結された伝送モーター２５が連結され、左側の前記伝送軸２０の後側には主動歯車６６が固定的に設置され、前記作動箱３４の中には運輸空間４３が設置され、前記運輸空間４３の底壁には前記軸空間５０に連通している抜き穴７０が設置され、前記運輸空間４３の前後側壁にはベルト軸６７が左右対称に回転できるように連結され、前記ベルト軸６７には運輸プーリー３３がそれぞれ固定的に設置され、前記運輸プーリー３３の間には運輸ベルト６５が連結され、右側の前記ベルト軸６７の後側には、前記主動歯車６６と噛み合うことができる従動歯車３２が固定的に設置され、苗木を前記伝送ベルト２６に置くことができ、前記主動歯車６６と前記従動歯車３２とが噛み合うとき、前記伝送モーター２５を始動し、それにより前記伝送軸２０と、前記伝送プーリー２４と、前記主動歯車６６と、前記従動歯車３２と、前記運輸プーリー３３とを回転させ、それにより前記伝送ベルト２６と前記運輸ベルト６５とを通して苗木を前記抜き穴７０の上方に運輸し、そして苗木が前記軸空間５０の中に落ちる。
【００２０】
また、一つの実施例では、前記噴水装置１０４は前記水箱２８の底壁に固定された水ポンプ３０を含み、前記水ポンプ３０の底面と前記伝動空間５３とが連通しており、前記水箱２８の頂壁には加水空間２７が設置され、前記加水空間２７を通して前記水箱２８の中に水を注ぐことができ、そして前記水ポンプ３０を開けて、苗木に噴水できる。
【００２１】
また、一つの実施例では、前記シャーシー２１の底壁には下方に開口したシャーシー空間２２が設置され、前記シャーシー空間２２の中には無限軌道２３が設置され、前記無限軌道２３が本願発明の砂漠での移動に便利を与える。
【００２２】
また、一つの実施例では、前記開口空間４９の前後側壁には前記円環５６と当接できる仕切り板５２が固定的に設置され、前記仕切板５２が前記円環５６と前記触発ブロック５７とを上に移動させることができ、それにより前記斜め板６０を開ける。
【００２３】
また、一つの実施例では、前記掘り器５１が螺旋巻きの方式で前記中空軸４７の周囲に固定的に取り付けられ、掘るときに一部分の砂を取り出すことができ、植樹に便利である。
【００２４】
また、一つの実施例では、前記短歯車４６と前記長歯車４５とが終始噛み合っており、それにより前記中空軸４７が降りると同時に、終始回転することを保証する。
【００２５】
また、一つの実施例では、前記第二傘歯車３９の直径が前記第一傘歯車４０の直径より大きく、それにより前記親ねじ３７の回転速度が前記モーター軸４４の回転速度より小さく、それにより前記ねじ山ブロック３８の右への移動の速度を遅いようにさせる。
【００２６】
植樹するとき、まず加水空間２７を通して水箱２８の中に水を注ぎ、そして動力モーター４８を始動し、それによりモーター軸４４を回転させ、それにより第一傘歯車４０と、第二傘歯車３９と、親ねじ３７を回転させ、それによりねじ山ブロック３８を駆動し右に移動させ、それによりヒンジ連結ブロック３６を通して作動箱３４を駆動し下に移動させ、長歯車４５が短歯車４６を回転させ、それにより中空軸４７と掘り器５１を回転させ、それにより砂漠に対し穴を掘り、そして中空軸４７が底まで移動するとき、仕切板５２が円環５６と触発ブロック５７とを上に移動させ、それにより斜め板６０を両側に移動させ、それにより止めブロック６３を圧縮させ、軸空間５０を開け、このとき主動歯車６６と従動歯車３２とが噛み合い、そして苗木を、根が左に向くように伝送ベルト２６に置き、伝送モーター２５を始動し、それにより伝送軸２０と、伝送プーリー２４と、主動歯車６６と、従動歯車３２と、運輸プーリー３３とを回転させ、それにより伝送ベルト２６と運輸ベルト６５とを通して苗木を抜き穴７０の上方まで送り、そして苗木が軸空間５０の中に落ち、苗木を運輸する過程では、水ポンプ３０を始動し、苗木の根に噴水し、そして動力モーター４８を反転させ、中空軸４７を上げればよく、砂が自動的に掘った穴に戻り、植樹を完成する。
【００２７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020202819.tif 000003
【図２】
2020202819.tif 000004
【図３】
2020202819.tif 000005
【図４】
2020202819.tif 000006